(57)【要約】【課題】  圧力シリンダを外管に対して摺動可能及び回転不能になさせるための構造が簡単である圧力シリンダ式の伸縮管装置を提供すること。【解決手段】  圧力シリンダ４の互いに反対する開口端と閉塞端４１１とを有するシンリダ体４１の閉塞端４１１を一端とし、前記シリンダ体４１の開口端４１４から伸縮摺動自在に突出しているピストンロッド４２の突出端４１２を他端とし、かつ前記一端が外管３の一開口３２外に露出するように前記他端を前記開口３２から挿入して管内に固定し、前記シンリダ体４１を前記ピストンロッド４２の作動により開口３２を出入りするように伸縮させる圧力シリンダ式の伸縮管装置において、外管３の中空部の横断面は非円形であり、シリンダ体４１の出入り時に外管３内のある部分に、特にその前記開口３２端に、その横断面が前記非円形横断面と摺動可能に嵌合できる外周輪郭を有する環形スライド５が固定されている。【選択図】    図２
0003111078.tif 000002
【実用新案登録請求の範囲】
【請求項１】
圧力シリンダの互いに反対側に位置する開口端と閉塞端とを有するシンリダ体の閉塞端を一端とし、前記シリンダ体の開口端から伸縮摺動自在に突出しているピストンロッドの突出端を他端とし、かつ前記一端が直棒状の外管の一方の開口外に他端が他方の開口外に露出するように前記圧力シリンダを該外管内に設け、前記外管と前記他端が固定された状態で前記シンリダ体を前記ピストンロッドの作動により前記一方の開口を出入りするように伸縮させることができる圧力シリンダ式の伸縮管装置において、
前記外管の中空部の横断面は非円形であり、
前記シリンダ体の前記出入り時に前記外管内の部分だけに、その横断面が前記非円形横断面と摺動可能に嵌合することができる外周輪郭を有する環形スライドが固定されていることを特徴とする、圧力シリンダ式の伸縮管装置。
【請求項２】
前記外管の中空部の横断面及び前記環形スライドの横断面の外周輪郭はいずれも多角形であることを特徴とする請求項１に記載の、圧力シリンダ式の伸縮管装置。
【請求項３】
前記外管の中空部の横断面は、ほぼ円形を基本形状とし、該基本形状の周縁に複数の凹陥部が形成してあり、前記環形スライドの横断面の外周輪郭は前記基本形状と嵌合することができるほぼ円形を基本形状と、該外周輪郭の基本形状に更に前記複数の凹陥部に嵌入することができる複数の突起が形成してあることを特徴とする請求項１に記載の、圧力シリンダ式の伸縮管装置。
【請求項４】
前記環形スライドはその前記外管の前記開口外に向かっている面に雄ねじ付きのネックが突起しており、
前記シリンダ体の前記開口端に雌ねじがついており、
前記ネックが前記シリンダ体の前記開口端に挿入して前記雄ねじと前記雌ねじとによってそこに締め付けられていることを特徴とする請求項３に記載の、圧力シリンダ式の伸縮管装置。
【請求項５】
前記環形スライドはその前記外管の前記開口に向かっている面にその外周面に環状の溝が形成してあるネックが突起しており、
前記シリンダ体の前記開口端の内周面にリングが固定されており、該リングの内周面に環状の突起が形成してあり、
前記ネックが前記シリンダ体の前記開口端における前記リング内に挿入し、且つ、前記環状の突起が前記環状の溝に嵌入してそれと係合していることを特徴とする請求項３に記載の、圧力シリンダ式の伸縮管装置。
【考案の詳細な説明】
【技術分野】
【０００１】
本考案は、圧力シリンダ式の伸縮管装置に関し、特に椅子の高さ調節に適用される圧力シリンダ式の伸縮管装置に関するものである。
【背景技術】
【０００２】
従来、好きな高さに調節できる椅子は、圧力シリンダ式の伸縮管装置が設けられているものが一般的である。このような昇降自在な椅子は、更に、座席部が脚に対して回転可能なものと、座席部が脚に対して回転不能なものとに分けられている。後者の座席部が脚に対して回転不能なものにおいて、その高さ調節に備える圧力シリンダ式の伸縮管装置１は、図１に示すように、圧力シリンダ１１の互いに反対に位置する開口端と閉塞端とを有する。そして、シンリダ体１１１の閉塞端を一端１１１ｂとし、シリンダ体１１１の開口端から伸縮摺動自在に突出しているピストンロッド１１２の突出端を他端１１１ａとし、かつ前記一端１１１ｂが直棒状の外管１２の開口１２１外に露出するように前記他端１１１ａを前記開口１２１に挿通してから、外管１２と共に管外の他のものに固定し、シンリダ体１１１をピストンロッド１１２の作動により開口１２１を出入りするように伸縮させることができる。
【０００３】
圧力シリンダ１１と外管１２との間に相対的な回転がないように、外管１２はその断面中空部、即ちその前記開口１２１と連通している各部分が六角形とされている。また、圧力シリンダ式の伸縮管装置１は、更に、外管１２の断面中空部と嵌合できる六角形の中空管１３１と、シンリダ体１１１の他端１１１ａ近くの外周面に覆われた片材１３２とからなった位置付け部材１３が設けられている。この圧力シリンダ式の伸縮管装置１を組み合わせる時に、まず、片材１３２をシリンダ体１１１の開口端近くの外周面を囲んでから、これらを中空管１３１内に挿入して、片材１３２の外表面にある突起１３４と中空管１３１にあるこの突起１３４に対応する穴１３３との嵌合によって、シリンダ体１１１と中空管１３１とを互いに固定する。そして、このように組み合わせたものを開口１２１を通して外管１２内に挿入し、前記一端１１１ｂが外管１２の一開口外に他端１１１ａが他開口外に露出するように圧力シリンダ１１を外管１２内に設けていて外管１２と他端１１１ａが固定されるようにする。そうすると、中空管１３１と外管１２の断面中空部との間の六角形的な嵌合により、圧力シリンダ１１を外管１２に対し、摺動可能及び回転不能にすることができる。
【０００４】
しかし、この圧力シリンダ１１を外管１２に対し、摺動可能及び回転不能にする方式は、構造が複雑である上、無駄にされた材料も割合に多い。
【考案の開示】
【考案が解決しようとする課題】
【０００５】
前記欠点に鑑みて、本考案の目的は、圧力シリンダを外管に対して摺動可能及び回転不能にするための構造が簡単である圧力シリンダ式の伸縮管装置を提供することにある。
【課題を解決するための手段】
【０００６】
前記目的を達成するために、本考案は、圧力シリンダの互いに反対する開口端と閉塞端とを有するシンリダ体の閉塞端を一端とし、前記シリンダ体の開口端から伸縮摺動自在に突出しているピストンロッドの突出端を他端とし、かつ前記一端が直棒状の外管の一開口外に他端が他開口外に露出するように前記圧力シリンダを該外管内に設けていて前記外管と前記他端が固定される時前記シンリダ体を前記ピストンロッドの作動により前記一開口を出入りするように伸縮させることができる圧力シリンダ式の伸縮管装置において、前記外管の中空部の横断面は非円形であり、前記シリンダ体の前記出入りをする時いつも前記外管内にある部分だけに、特にその前記開口端だけに、その横断面が前記非円形横断面と摺動可能に嵌合することができる外周輪郭を有する環形スライドが固定されていることを特徴とする、圧力シリンダ式の伸縮管装置を提供する。
【考案の効果】
【０００７】
前記構造による圧力シリンダ式の伸縮管装置は、前記シリンダ体の前記出入りをする時いつも前記外管内にある部分だけに、特にその前記開口端に、前記外管の中空部の非円形横断面と摺動可能に嵌合することができる外周輪郭を有する環形スライドが固定されているので、前記圧力シリンダを前記ピストンロッドの作動により前記開口を出入りするように伸縮させるとともに、前記外管に対して回転不能にさせることができる上、その関係構造が簡単であり、使用材料も節約できる。
【考案を実施するための最良の形態】
【０００８】
次に、図面に示す実施形態に基づいて、本考案をより具体的に説明する。
【０００９】
図２は、本考案の圧力シリンダ式の伸縮管装置の第１実施形態の分解斜視図である。図３は、同実施形態における外管の要部を拡大して示す斜視図である。図４は、同実施形態における圧力シリンダの他端側の拡大縦断面図である。図５は、本考案の圧力シリンダ式の伸縮管装置の第２実施形態における圧力シリンダの他端側の拡大縦断面図である。図６は、本考案の圧力シリンダ式の伸縮管装置の第３実施形態における圧力シリンダの他端の方の拡大縦断面図である。図７は、本考案の圧力シリンダ式の伸縮管装置の第４実施形態における圧力シンリダと、外管と、環形スライドとの間の構造関係を示す部分分解斜視図である。
【００１０】
図２に示すように、本考案の第１実施形態の圧力シリンダ式の伸縮管装置２は、圧力シリンダ４の互いに反対に位置する開口端４１４と閉塞端とを有するシンリダ体４１の閉塞端を一端４１１とし、シリンダ体４１の開口端４１４から伸縮摺動自在に突出しているピストンロッド４２の突出端を他端４１２とする。そして、前記一端４１１が直棒状の外管３の開口３２外に他端４１２が他開口３３から外に露出するように圧力シリンダ４を外管３内に設けていて外管３と前記他端４１２が固定された時シンリダ体４１をピストンロッド４２の作動により開口３２を出入りするように伸縮させることができるものである。
【００１１】
また、図３に示すように、外管３の中空部３２１の横断面は、ほぼ円形を基本形状とし、該基本形状の周縁に複数の凹陥部３２２が形成してある。シリンダ体４１の開口端３１の前記出入りをする時に、外管３内のある部分だけに、その横断面が中空部３２１の横断面と摺動可能に嵌合することができる外周輪郭を有する環形スライド５が固定されている。環形スライド５の横断面の外周輪郭は前記基本形状と嵌合することができるほぼ円形を基本形状とし、該外周輪郭の基本形状に更に複数の凹陥部３２２に嵌入することができる複数の突起５１２が形成してある。さらに、環形スライド５はその外管３の開口３２外に向かっている面に雄ねじ５２ａ付きのネック５２が突起している。シリンダ体４１の開口端４１４に雌ねじ４１３がついており、図４に示すように、ネック５２がシリンダ体４１の開口端４１４に挿入して雄ねじ５２ａと雌ねじ４１３とによってそこに締め付けられている。即ち、本実施形態における環形スライド５は、シリンダ体４１の前記出入りをする時いつも外管３内にある部分だけに固定されているばかりでなく、実際は、シリンダ体４１の開口端４１４に固定されている。
【００１２】
図５は、本考案の圧力シリンダ式の伸縮管装置の第２実施形態における他端の方の拡大縦断面図である。この第２実施形態の構成は、ほぼ前記第１実施形態のと同じであるが、更に雌ねじ４１３にねじ４１５を挿入させられる穴４１３Ａが設けられており，このねじ４１５が穴４１３Ａを挿入してネック５２の穴４１３Ａに対応する通孔５２０に締め付けられている。このようにして，環形スライド５とシリンダ体４１とがよりしっかりと結び付けられることができる。
【００１３】
図６は、本考案の圧力シリンダ式の伸縮管装置の第３実施形態における他端の方の拡大縦断面図である。この第３実施形態の環形スライド５Ａは、その外管３の開口３１２に向かっている面にその外周面に環状の溝５２１が形成してあるネック５２Ａが突起している。また、シリンダ体４１の開口端４１４の内周面にリング４１４Ａが固定されており、該リング４１４Ａの内周面に環状の突起４１６が形成してある。なお、ネック５２Ａがシリンダ体４１の開口端４１４におけるリング４１４Ａ内に挿入し、且つ、環状の突起４１６が環状の溝５２１に嵌入してそれと係合している。
【００１４】
図７は、本考案の圧力シリンダ式の伸縮管装置の第４実施形態であり、圧力シンリダと、外管と、環形スライドとの間の構造関係を示す部分分解斜視図である。この実施形態において、外管３の中空部３２１の横断面及び環形スライド５Ｂの横断面の外周輪郭はいずれも多角形である。
【００１５】
以上、実施形態に基づいて説明したが、本考案は前記実施形態に限定されない。
【産業上の利用可能性】
【００１６】
前記構造による圧力シリンダ式の伸縮管装置は、前記シリンダ体の前記出入りをする時いつも前記外管内にある部分だけに、特にその前記開口端に、前記外管の中空部の非円形横断面と摺動可能に嵌合することができる外周輪郭を有する環形スライドが固定されているので、前記圧力シリンダを前記ピストンロッドの作動により前記開口を出入りするように伸縮させるとともに、前記外管に対して回転不能にさせることができる上、その関係構造が簡単であり、使用材料も節約できるため、経済的に有利である。
【図面の簡単な説明】
【００１７】
【図１】従来の圧力シリンダ式の伸縮管装置を示す分解斜視図。
【図２】本考案の圧力シリンダ式の伸縮管装置の第１実施形態の分解斜視図。
【図３】同実施形態における外管の要部を拡大して示す斜視図。
【図４】同実施形態における圧力シリンダの他端の方の拡大縦断面図。
【図５】本考案の圧力シリンダ式の伸縮管装置の第２実施形態における圧力シリンダの他端の方の拡大縦断面図。
【図６】本考案の圧力シリンダ式の伸縮管装置の第３実施形態における圧力シリンダの他端の方の拡大縦断面図。
【図７】本考案の圧力シリンダ式の伸縮管装置の第４実施形態における圧力シンリダと、外管と、環形スライドとの構造関係を示す部分分解斜視図。
【符号の説明】
【００１８】
２        圧力シリンダ式の伸縮管装置
３        外管
３２      開口
３２１    中空部
３２２    凹陥部
３３      他開口
４        圧力シリンダ
４１      シンリダ体
４１１   （圧力シリンダの）一端
４１２   （圧力シリンダの）他端
４１３    雌ねじ
４１３Ａ  穴
４１４   （シリンダ体の）開口端
４１４Ａ  リング
４１５    ねじ
４１６    環状の突起
４２      ピストンロッド
５        環形スライド
５Ａ      環形スライド
５Ｂ      環形スライド
５１２    突起
５２      ネック
５２Ａ    ネック
５２ａ    雄ねじ
５２０    通孔
５２１    環状の溝
【図１】
0003111078.tif 000003
【図２】
0003111078.tif 000004
【図３】
0003111078.tif 000005
【図４】
0003111078.tif 000006
【図５】
0003111078.tif 000007
【図６】
0003111078.tif 000008
【図７】
0003111078.tif 000009